(57)【特許請求の範囲】
【請求項１】
箱を二分割して２つの左右筒体２ａ、２ｂを形成し、これら両筒体を連結筒３を介して両開口面対向状態で連結した内ケース１と、
上記内ケースを摺動自在に嵌合させた左右両端面開口の外ケース１０とからなり、
上記連結筒３内に仕切板５を設けて、内ケース内部を２つの左右収納室に仕切ると共に、内ケース壁面に両収納室に開口する２つの取出口３ａ、３ｂを形成し、
上記外ケースの壁面に長孔１２を形成すると共に、内ケースに摘み部９を形成して、該摘み部を長孔から露出させ、
上記摘み部９を長孔１２の中間部に位置させることで、上記両取出口３ａ、３ｂが外ケース内に収納され、又摘み部９を介して内ケースを正方向へ摺動させることで上記取出口の一方が、かつ逆方向へ摺動させることで取出口の他方が、それぞれ外ケースから露出可能に形成した
ことを特徴とする錠剤状物品収納容器。
【請求項２】
上記内ケース１外面と外ケース１０内面との一方に係合突部８を、他方に該係合突部が係合可能な３つの係合凹部１３、１４、１５を、それぞれ形成し、かつ上記摘み部９を上記長孔１２の中間部に位置させることで係合突部８が中央に位置する係合凹部１４に、又摘み部を正逆方向へ移動させることで係合突部８が両端に位置する係合凹部１３、１５のどちらかにそれぞれ係合可能に形成した
ことを特徴とする請求項１記載の錠剤状物品収納容器。
【請求項３】
上記２つの筒体２ａ、２ｂを、連結筒３の左右両端部外面へ嵌合させて連結し、又連結筒の左右中間部に外向きフランジ６を付設すると共に、該外向きフランジの前後両側部に突条からなる上記係合突部８を、かつ外ケースの前後側面の一方または双方に凹溝からなる上記係合凹部１３、１４、１５を、それぞれ形成し、さらに、上記外向きフランジ６の上面に、中間部を滑り止め部として隆起させた係合板７を付設して、該係合板の左右両端部を内ケースの両筒体２ａ、２ｂ上面へ係合させて摘み部９に形成した
ことを特徴とする請求項１又は２記載の錠剤状物品収納容器。
【発明の詳細な説明】
【０００１】
【発明の属する技術分野】
本発明は錠剤状の菓子や薬剤等の物品を収納する容器に関する。
【０００２】
【従来の技術】
例えば、実開平５ー５８６７７に示されているように、筒状の外周壁下端縁より内向きフランジ状の底壁を延設すると共に、該底壁内周縁より上方へ二重筒状に内周壁を立設させて各周壁間を収納部として構成してなる容器体と、上記収納部上面を閉塞すると共に、中央に穿設した取出口を上記内周壁外周上端に嵌脱自在に嵌合させた頂壁周縁より周壁を垂設させ、かつ該周壁内周面を容器体の上記外周壁外周に所定幅の上下動が可能に嵌合させたキャップと、該キャップの頂壁後端部に薄肉ヒンジを介して後端部を一体に連結するとともに、上記キャップ頂壁上面を被覆する蓋板と、上記容器体収納部内に圧縮充填した弾性充填材とからなる錠剤容器が知られている。
【０００３】
【発明が解決しようとする課題】
上記公知例が示す錠剤容器では、２種類の錠剤が収納されている場合に、特定種類の錠剤のみを繰り返し確実に取り出すことができなかった。
本発明は、容器体に収納された特定種類の物品を確実に取り出すことを可能にするものである。
【０００４】
【課題を解決するための手段】
第１の手段として、箱を二分割して２つの左右筒体２ａ、２ｂを形成し、これら両筒体を連結筒３を介して両開口面対向状態で連結した内ケース１と、
上記内ケースを摺動自在に嵌合させた左右両端面開口の外ケース１０とからなり、
上記連結筒３内に仕切板５を設けて、内ケース内部を２つの左右収納室に仕切ると共に、内ケース壁面に両収納室に開口する２つの取出口３ａ、３ｂを形成し、
上記外ケースの壁面に長孔１２を形成すると共に、内ケースに摘み部９を形成して、該摘み部を長孔から露出させ、
上記摘み部９を長孔１２の中間部に位置させることで、上記両取出口３ａ、３ｂが外ケース内に収納され、又摘み部９を介して内ケースを正方向へ摺動させることで上記取出口の一方が、かつ逆方向へ摺動させることで取出口の他方が、それぞれ外ケースから露出可能に形成した。
【０００５】
第２の手段として、第１の手段を有すると共に、上記内ケース１外面と外ケース１０内面との一方に係合突部８を、他方に該係合突部が係合可能な３つの係合凹部１３、１４、１５を、それぞれ形成し、かつ上記摘み部９を上記長孔１２の中間部に位置させることで係合突部８が中央に位置する係合凹部１４に、又摘み部を正逆方向へ移動させることで係合突部８が両端に位置する係合凹部１３、１５のどちらかにそれぞれ係合可能に形成した。
【０００６】
第３の手段として、第１又は第２の手段を有すると共に、上記２つの筒体２ａ、２ｂを、連結筒３の左右両端部外面へ嵌合させて連結し、又連結筒の左右中間部に外向きフランジ６を付設すると共に、該外向きフランジの前後両側部に突条からなる上記係合突部８を、かつ外ケースの前後側面の一方または双方に凹溝からなる上記係合凹部１３、１４、１５を、それぞれ形成し、さらに、上記外向きフランジ６の上面に、中間部を滑り止め部として隆起させた係合板７を付設して、該係合板の左右両端部を内ケースの両筒体２ａ、２ｂ上面へ係合させて摘み部９に形成した。
【０００７】
【発明の実施の形態】
以下、本発明に係る錠剤状物品収納容器の実施形態について説明する。
１は内ケースで、箱を二分割して形成した左右一対の扇形状の筒体２ａ、２ｂの上壁に左右方向へ長い開口部３ａ、３ｂを形成する。該開口部の一端は開口面４ａ、４ｂに開口すると共に、他端は上壁の先端部に達する。
【０００８】
このような開口部を、左側の筒体２ａでは上壁の後部に、かつ右側の筒体２ｂでは上壁の前部に、それぞれ形成する。そして、２つの筒体２ａ、２ｂを、開口面４ａ、４ｂを対向させた状態で連結筒３を介して連結する。
【０００９】
連結筒３は断面形状が長方形状で、内部に仕切り板５を有すると共に、左右方向中間部に外向きフランジ６を有し、また、該外向きフランジ上面の前後方向中間部に左右へ長い係合板７を付設し、かつ該係合板の中間部を隆起させて滑り止め部７ａに形成する。この係合板７は摘み部９を形成する。
【００１０】
さらに、外向きフランジ６の前後両面に係合突条８を縦設する。このような連結筒３の左右両端部外面に２つの筒体２ａ、２ｂを嵌着させ、かつ係合板７の左右両端部を、両筒体２ａ、２ｂ上壁の前後方向中間部上面へ係合させる。
【００１１】
１０は外ケースで、外観形状が内ケース１とほぼ同一形状の、両端面開口の筒状体１１からなり、上壁の中央部に左右に長い長孔１２を有する。また、筒状体１１の前後両内側面には左右方向に等間隔をおいて３本の第１、第２、第３の係合凹溝１３、１４、１５を縦設する。
このような外ケース１０内に内ケース１を摺動自在に嵌合させて容器を組み立てる。なお、外ケース１０に内ケース１を嵌合させると、図４に示すように摘み部９が長孔１２から露出する。
【００１２】
次に本実施形態の作用について説明する。
図４は内ケース１が外ケース１０内に完全に収納された状態を示し、内ケース１の係合突条８は、図６に示すように中央に位置する第２係合凹溝１４に係合している。なお、仕切り板５で仕切ることにより内ケース１の内部に形成される左右２つの収納室内には異なる種類の錠剤状物品が収納されているものとする。
【００１３】
左側の収納室内から錠剤状物品を取り出すためには、長孔１２の左右方向中間部に位置する摘み部９を左方向へ押せばよく、すると内ケース１が左方向へ摺動し、これによって係合突条８が第２係合凹溝１４から左方向へ離脱して第１係合凹溝１３に係合する。この状態を示すのが図５および図６の左側の位置で、内ケースの左側の取出口３ａの先端部は外ケース１０から露出しているため、容器を反転させることで左側の収納室内の錠剤状物品を取り出すことができる。
【００１４】
取り出した後は摘み部９を右方向に押して図４の位置に位置させればよい。
上記と反対に右側の収納室内から錠剤状物品を取り出すには、摘み部９を右方向へ押せばよく、すると内ケース１が右方向へ摺動し、これによって係合突条８が第２係合凹溝１４から右方向へ離脱して第３係合凹溝１５に係合する。この状態を示すのが図５の２点鎖線および図６の右側の位置で、内ケースの右側の取出口３ｂの先端部は外ケースから露出しているため、容器を反転させることで右側の収納室内の錠剤状物品を取り出すことができる。取り出した後は摘み部９を左方向に押して図４の位置に位置させればよい。
【００１５】
なお、上記では係合突条８と係合凹溝１３、１４、１５を有するが、内ケース１と外ケース１０とが摩擦接触する程度に両者の嵌合を固くして、摘み部９を押さない限り内ケース１が外ケース１０から抜け出ないようにすれば、係合突条と係合凹溝を省略することも可能である。
【００１６】
また、上記とは反対に、係合突条８を外ケース１０内面に、かつ係合凹溝１３、１４、１５を内ケース１外面に設けてもよい。さらに、図示例では、係合突条と係合凹溝は内外両ケースの前後両側面に設けられているが、これに限らず前後側面の一方だけに設けることも可能である。さらにまた、係合突条８と係合凹溝１３、１４、１５を内外ケースの底壁に設けることも可能である。
さらにまた、上記では取出口３ａ、３ｂは内ケースの開口面４ａ、４ｂに開口するが、開口させることなく、内ケースの先端部にのみ形成することもできる。
【００１７】
【発明の効果】
請求項１および３に係る発明は、２つの収納室を有し、かつそれぞれに取出口を有するため、特定種類の錠剤状物品だけを確実に取り出すことができる。
また、内ケースを３部品で形成し、かつ仕切り板を連結筒内に設けたので、金型を簡素化することができる。
【００１８】
請求項２に係る発明は、係合突部と係合凹部を有するため、取り出し不能な収納位置と取り出し可能な２つの取り出し位置とにおいて内ケースを固定させることができる。
【図面の簡単な説明】
【図１】本発明に係る錠剤状物品収納容器の分解斜視図。
【図２】同じく、連結筒に形成した係合突条を示す斜視図。
【図３】同じく、内ケースを外ケース内に嵌合した状態を示す横断面図。
【図４】同じく、図３の斜視図。
【図５】同じく、作用を説明する斜視図。
【図６】同じく、係合突条と係合凹溝との位置関係を断面で示す作用説明図。
【符号の説明】
１  内ケース
２ａ、２ｂ  筒体
３ａ、３ｂ  取出口
４ａ、４ｂ  開口面
３  連結筒
５  仕切板
６  外向きフランジ
８  係合突条
９  摘み部
１０  外ケース
１２  長孔
１３、１４、１５  係合凹溝
【図１】
0003771119.tif 000002
【図２】
0003771119.tif 000003
【図３】
0003771119.tif 000004
【図４】
0003771119.tif 000005
【図５】
0003771119.tif 000006
【図６】
0003771119.tif 000007